(57)【要約】      （修正有）【課題】ディスクの挿入・排出時に、ディスクの移動位置を正確にガイドすることで装置の薄型化を図るディスク装置。【解決手段】ベース本体１０と蓋体とからシャーシ外装を構成し、シャーシ外装のフロント面にディスクを直接挿入するディスク挿入口１１を形成し、ベース本体のフロント面側にはトラバースベース３０が配置され、トラバースベースに保持されるスピンドルモータ３１がベース本体の中心部に配置され、スピンドルモータには、ディスクを装着するセンターハブ３１Ａと、ターンテーブル３１Ｂとが設けられ、トラバースベースには、トラバースベースカバー３０Ａが設けられ、トラバースベースカバー上を可動範囲の一部とする排出レバー１００を設け、排出レバーの可動側端部にはディスクを保持するガイド１０１が設けられ、トラバースベースカバーに対する排出レバーの高さ設定を、排出レバーとターンテーブルとの接触によって行うことを特徴とする。【選択図】図５
2007184018.tif 000002
【特許請求の範囲】
【請求項１】
ベース本体と蓋体とからシャーシ外装を構成し、
前記シャーシ外装のフロント面にディスクを直接挿入するディスク挿入口を形成し、
前記ベース本体のフロント面側にはトラバースベースが配置され、
前記トラバースベースに保持されるスピンドルモータが前記ベース本体の中心部に配置され、
前記スピンドルモータには、ディスクを装着するセンターハブと、ターンテーブルとが設けられ、
前記トラバースベースには、トラバースベースカバーが設けられ、
前記トラバースベースカバー上を可動範囲の一部とする排出レバーを設け、
前記排出レバーの可動側端部にはディスクを保持するガイドが設けられたスロットイン型ディスク装置であって、
前記トラバースベースカバーに対する前記排出レバーの高さ設定を、前記排出レバーと前記ターンテーブルとの接触によって行うことを特徴とするスロットイン型ディスク装置。
【請求項２】
前記排出レバーの可動側端部にエジェクトレバーガイドローラを設け、前記エジェクトレバーガイドローラが前記ターンテーブル面を摺動することを特徴とする請求項１に記載のスロットイン型ディスク装置。
【請求項３】
前記エジェクトレバーガイドローラを、エジェクトガイドシャフトによってエジェクトガイドホルダーに回動自在に設けたことを特徴とする請求項２に記載のスロットイン型ディスク装置。
【請求項４】
前記ターンテーブルの外周上面部にはディスクラバーが貼り付けられ、前記エジェクトレバーガイドローラは前記ディスクラバー面を摺動することを特徴とする請求項２に記載のスロットイン型ディスク装置。
【発明の詳細な説明】
【技術分野】
【０００１】
本発明は、ＣＤやＤＶＤなどのディスク状の記録媒体への記録、または再生を行うディスク装置に関し、特に外部からディスクを直接挿入し、または直接排出できるスロットイン型ディスク装置に関する。
【背景技術】
【０００２】
従来のディスク装置は、トレイまたはターンテーブル上にディスクを載置し、このトレイやターンテーブルを装置本体内に装着するローディング方式が多く採用されているが、このようなローディング方式では、トレイやターンテーブルが必要な分、ディスク装置本体を薄型化するには限度があった。このため、最近では、ローディングモータによりレバー等でディスクを直接操作するスロットイン型ディスク装置が存在する（例えば特許文献１）。
【特許文献１】特開２００２−３５２４９８号公報
【発明の開示】
【発明が解決しようとする課題】
【０００３】
しかし、レバー等でディスクを直接操作するスロットイン型ディスク装置であっても、更に装置の薄型化を図るためには、ディスクの挿入・排出時にスピンドルモータのセンターハブにディスクが接触しないように、適切にディスクをガイドしなければならない。
【０００４】
そこで本発明は、ディスクの挿入・排出時に、ディスクの移動位置を正確にガイドすることで装置の薄型化を更に図ることができるスロットイン型ディスク装置を提供することを目的とする。
【課題を解決するための手段】
【０００５】
請求項１記載の本発明のスロットイン型ディスク装置は、ベース本体と蓋体とからシャーシ外装を構成し、前記シャーシ外装のフロント面にディスクを直接挿入するディスク挿入口を形成し、前記ベース本体のフロント面側にはトラバースベースが配置され、前記トラバースベースに保持されるスピンドルモータが前記ベース本体の中心部に配置され、前記スピンドルモータには、ディスクを装着するセンターハブと、ターンテーブルとが設けられ、前記トラバースベースには、トラバースベースカバーが設けられ、前記トラバースベースカバー上を可動範囲の一部とする排出レバーを設け、前記排出レバーの可動側端部にはディスクを保持するガイドが設けられたスロットイン型ディスク装置であって、前記トラバースベースカバーに対する前記排出レバーの高さ設定を、前記排出レバーと前記ターンテーブルとの接触によって行うことを特徴とする。
請求項２記載の本発明は、請求項１に記載のスロットイン型ディスク装置において、前記排出レバーの可動側端部にエジェクトレバーガイドローラを設け、前記エジェクトレバーガイドローラが前記ターンテーブル面を摺動することを特徴とする。
請求項３記載の本発明は、請求項２に記載のスロットイン型ディスク装置において、前記エジェクトレバーガイドローラを、エジェクトガイドシャフトによってエジェクトガイドホルダーに回動自在に設けたことを特徴とする。
請求項４記載の本発明は、請求項２に記載のスロットイン型ディスク装置において、前記ターンテーブルの外周上面部にはディスクラバーが貼り付けられ、前記エジェクトレバーガイドローラは前記ディスクラバー面を摺動することを特徴とする。
【発明の効果】
【０００６】
本発明によれば、排出レバーとターンテーブルとの接触によって排出レバーの高さを設定できるため、ディスクが最も接触しやすいセンターハブとの隙間を正確に確保することができ、装置の薄型化を図ることができる。
【発明を実施するための最良の形態】
【０００７】
本発明の第１の実施の形態によるスロットイン型ディスク装置は、トラバースベースカバーに対する排出レバーの高さ設定を、排出レバーとターンテーブルとの接触によって行うものである。本実施の形態によれば、排出レバーとターンテーブルとの接触によって排出レバーの高さを設定できるため、ディスクが最も接触しやすいセンターハブと、挿入されるディスクとの隙間を正確に確保することができる。
本発明の第２の実施の形態は、第１の実施の形態によるスロットイン型ディスク装置において、排出レバーの可動側端部にエジェクトレバーガイドローラを設け、エジェクトレバーガイドローラがターンテーブル面を摺動するものである。本実施の形態によれば、エジェクトレバーガイドローラとターンテーブル面との接触によって排出レバーの高さを設定するため、ディスクとセンターハブとの隙間を正確に確保することができる。
本発明の第３の実施の形態は、第２の実施の形態によるスロットイン型ディスク装置において、エジェクトレバーガイドローラを、エジェクトガイドシャフトによってエジェクトガイドホルダーに回動自在に設けたものである。本実施の形態によれば、エジェクトレバーガイドローラが回動自在であるため、ターンテーブル面を傷めることが少ない。
本発明の第４の実施の形態は、第２の実施の形態によるスロットイン型ディスク装置において、ターンテーブルの外周上面部にはディスクラバーが貼り付けられ、エジェクトレバーガイドローラはディスクラバー面を摺動するものである。本実施の形態によれば、エジェクトレバーガイドローラをディスクラバー面で摺動させることで、ターンテーブル面を傷めることが少ない。
【実施例】
【０００８】
以下本発明の一実施例によるディスク装置について説明する。
図１は本実施例によるディスク装置のベース本体の平面図、図２は同ディスク装置の要部断面図、図３は同装置における排出レバーの分解平面図である。
本実施例によるディスク装置は、ベース本体と蓋体とからシャーシ外装が構成され、このシャーシ外装のフロント面にベゼルが装着される。また本実施例によるディスク装置は、ベゼルに設けたディスク挿入口からディスクを直接挿入するスロットイン型ディスク装置である。
図１に示すように、ディスクへの記録再生機能やディスクのローディング機能を行う各部品は、ベース本体１０に装着される。
ベース本体１０は、深底部１０Ａと浅底部１０Ｂが形成され、浅底部１０Ｂによってフロント面からリア面に至るウイング部が形成されている。
ベース本体１０のフロント側にはディスクを直接挿入するディスク挿入口１１を形成し、ベース本体１０のリア面の端部にはコネクタ１２を配設している。ベース本体１０のディスク挿入口１１側にはトラバースベース３０が配置され、ベース本体１０のコネクタ１２側にはリアベース１３が配置されている。トラバースベース３０とリアベース１３とは互いが重ならないように配置されている。リアベース１３のベース本体１０面側にはプリント基板１４が設けられている。
【０００９】
トラバースベース３０は、スピンドルモータ３１とピックアップ３２とピックアップ３２を移動させる駆動手段３３とを保持している。スピンドルモータ３１はトラバースベース３０の一端側に設けられ、ピックアップ３２はトラバースベース３０の一端側から他端側までを移動可能に設けられている。またピックアップ３２は停止時にはトラバースベース３０の他端側、すなわちベース本体１０の外周側に配置される。
トラバースベース３０において、スピンドルモータ３１がベース本体１０の中央部に位置し、またピックアップ３２の往復動範囲がスピンドルモータ３１よりもディスク挿入口１１側に位置し、またピックアップ３２の往復移動方向がディスクの挿入方向と異なるように配設されている。ここで、ピックアップ３２の往復移動方向とディスクの挿入方向とは、３５〜５５度の角度としている。
トラバースベース３０は、一対のインシュレータ３４Ａ、３４Ｂによってベース本体１０に支持されている。また、トラバースベース３０の蓋体側にはトラバースベースカバー３０Ａが設けられている。トラバースベースカバー３０Ａの一部には、開口部３０Ｂが形成されている。
一対のインシュレータ３４Ａ、３４Ｂは、スピンドルモータ３１の位置よりもピックアップ３２の静止位置側に配設している。本実施例では、インシュレータ３４Ａはディスク挿入口１１の内側近傍の一端側に、インシュレータ３４Ｂはディスク挿入口１１の内側近傍の中央部に設けている。インシュレータ３４Ａ、３４Ｂは、弾性材料からなるダンパー機構を備えている。トラバースベース３０は、インシュレータ３４Ａ、３４Ｂを支点として、スピンドルモータ３１側をベース本体１０と近接離間させるように動作する。
スピンドルモータ３１は、その中心部にディスクを装着するセンターハブ３１Ａを備える。このセンターハブ３１Ａの外周部はターンテーブル３１Ｂが構成され、ターンテーブル３１Ｂの外周上面部にはディスクラバー３１Ｃが貼り付けられている。
【００１０】
以下に、カム機構を備えたメインスライダー４０とサブスライダー５０について説明する。トラバースベース３０を変位させるカム機構は、メインスライダー４０とサブスライダー５０にそれぞれ設けている。ここで、メインスライダー４０とサブスライダー５０とは、スピンドルモータ３１の側方に位置するように配設されている。メインスライダー４０は、その一端がシャーシ本体１０のフロント面側、その他端がシャーシ本体１０のリア面側となる方向に配設されている。また、サブスライダー５０は、トラバースベース３０とリアベース１３との間に、メインスライダー４０と直交する方向に配設されている。
トラバースベース３０を変位させるカム機構は、第１のカム機構４１と第２のカム機構５１によって構成される。第１のカム機構４１は、メインスライダー４０のスピンドルモータ３１側の面に、第２のカム機構５１は、サブスライダー５０のスピンドルモータ３１側の面にそれぞれ設けられている。
なお、メインスライダー４０とトラバースベース３０との間にはベース部材１５が設けられ、サブスライダー５０とトラバースベース３０との間にはベース部材１６が設けられている。ここでベース部材１５とベース部材１６はベース本体１０に固定され、ベース部材１５に設けた縦溝によってトラバースベース３０のカムピンを位置規制し、ベース部材１６に設けた縦溝によってトラバースベース３０のカムピンを位置規制している。
【００１１】
ここで、ベース部材１６とサブスライダー５０とは、第３のカム機構（図示せず）によって連結している。そしてこの第３のカム機構は、第２のカム機構５１によってトラバースベース３０をベース本体１０に対して離間する方向に移動させる時に、サブスライダー５０をベース本体１０に対して離間する方向に移動させる機能を備えている。
【００１２】
メインスライダー４０の一端側にはローディングモータ６０が配設されている。ローディングモータ６０の駆動軸とメインスライダー４０の一端側とは歯車機構を介して連結されている。
このローディングモータ６０の駆動によってメインスライダー４０を長手方向に摺動させることができる。またメインスライダー４０は、カムレバー７０によってサブスライダー５０と連結している。
カムレバー７０は、回動支点７１、ピン７２、ピン７３、及びピン７４を有している。ピン７２、７３はメインスライダー４０の上面に設けたカム溝と係合し、ピン７４はサブスライダー５０の上面に設けたカム溝と係合し、カムレバー７０は、回動支点７１を軸として回動する。
【００１３】
以上説明した、コネクタ１２、トラバースベース３０、リアベース１３、プリント基板１４、インシュレータ３４Ａ、３４Ｂ、メインスライダー４０、サブスライダー５０、及びローディングモータ６０は、ベース本体１０の深底部１０Ａに設けられ、これらの部材と蓋体との間に、ディスク挿入空間を形成する。
【００１４】
次に、ディスクを挿入するときにディスクを支持するガイド部材と、ディスクを挿入するときに動作するレバー部材について説明する。
深底部１０Ａのディスク挿入口１１近傍の一端側には、所定長さの第１のディスクガイド１７が設けられている。この第１のディスクガイド１７は、ディスク挿入側から見た断面が、「コ」の字状の溝を有している。この溝によってディスクは支持される。
一方、ディスク挿入口１１側の浅底部１０Ｂには、引き込みレバー８０が設けられ、この引き込みレバー８０の可動側端部に第２のディスクガイド８１を備えている。第２のディスクガイド８１は、円筒状のローラで構成され、引き込みレバー８０の可動側端部に回動自在に設けられている。また、第２のディスクガイド８１のローラ外周には溝が形成され、この溝によってディスクは支持される。
引き込みレバー８０は、可動側端部が固定側端部よりもディスク挿入口１１側で動作するように配置され、固定側端部に回動支点を有している。
【００１５】
引き込みレバー８０は、サブレバー９０によって動作する。
サブレバー９０は、可動側の一端に凸部を備え、他端側に回動支点９２を備えている。サブレバー９０の凸部は、引き込みレバー８０の長溝内を摺動する。また、サブレバー９０の回動支点９２は、メインスライダー４０上に位置している。なお、回動支点９２は、メインスライダー４０とは連動せず、ベース本体１０に固定されている。またサブレバー９０の回動支点９２よりも凸部側の下面には、ピン９３を備えている。このピン９３は、メインスライダー４０の上面に設けられたカム溝内を摺動する。従って、サブレバー９０は、メインスライダー４０の移動にともなって角度が変更され、このサブレバー９０の角度の変更によって引き込みレバー８０の旋回角度を変更する。すなわち、サブレバー９０の動作によって、引き込みレバー８０の第２のディスクガイド８１がスピンドルモータ３１に近接離間するように動作する。
【００１６】
ベース本体１０の引き込みレバー８０と異なる側部には、排出レバー１００が設けられている。この排出レバー１００の一端側の可動側端部には、ガイド１０１が設けられている。このガイド１０１は、挿入されるディスクの外周部を保持する。また、排出レバー１００の他端側には、回動支点１０２が設けられている。この回動支点１０２は、ベース本体１０の深底部１０Ａに設けられている。排出レバー１００の一端側は、トラバースベースカバー３０Ａの蓋体側の面に配置されている。また、排出レバー１００の可動側端部には、ガイド１０１よりもリア面側に当接部１０３が設けられている。また、排出レバー１００には、弾性体１０４が設けられている。この弾性体１０４の一端は排出レバー１００のばねかけ部１０４Ａに固定されており、他端はベース本体１０の突起１０４Ｂに固定されている。ばねかけ部１０４Ａは、排出レバー１００の一部をトラバースベースカバー３０Ａ側に折り曲げて構成されている。そして、このばねかけ部１０４Ａと弾性体１０４の一部は、開口部３０Ｂ内に配置されている。ばねかけ部１０４Ａ及び弾性体１０４は、排出レバー１００の動作によって移動するが、開口部３０Ｂ内に位置し、トラバースベースカバー３０Ａには接触することはない。このように、開口部３０Ｂ内でばねかけ部１０４Ａ及び弾性体１０４を動作させることで、排出レバー１００とトラバースベースカバー３０Ａとを接近させることができるので、挿入されたディスクがトラバースベースカバー３０Ａと排出レバー１００との間に潜り込むことはない。当接部１０３は、弾性体１０４によってリア面側に引き込まれた場合に、リアベース１３の当接部１３Ａと当接する。また排出レバー１００は、弾性体１０４の弾性力によってディスク挿入口１１側に引き出される。
【００１７】
排出レバー１００の可動側端部には、エジェクトレバーガイドローラ１００Ａが設けられている。このエジェクトレバーガイドローラ１００Ａは、ガイド１０１よりもスピンドルモータ３１側に配置されている。エジェクトレバーガイドローラ１００Ａは、エジェクトガイドホルダー１００Ｂを介して排出レバー１００に取り付けられている。エジェクトレバーガイドローラ１００Ａは、ディスクラバー３１Ｃ上を通過する時に、ディスクラバー３１Ｃ面との接触によって回動可能なように、エジェクトガイドシャフト１００Ｃによってエジェクトガイドホルダー１００Ｂに取り付けられている。
なお、ディスクラバー３１Ｃ上にエジェクトレバーガイドローラ１００Ａが位置する状態で、ガイド１０１によるディスクガイド面の高さを、センターハブ３１Ａよりも高く設定している。このようにガイド１０１の高さを、エジェクトレバーガイドローラ１００Ａとディスクラバー３１Ｃとによって設定することで、ターンテーブルよりも高い位置にあるセンターハブ３１Ａにディスクが当たることを回避できる。また、ディスクラバー３１Ｃ上ではエジェクトレバーガイドローラ１００Ａが回動するため、ディスクラバー３１Ｃにダメージを与えることがない。なお、排出レバー１００は、スピンドルモータ３１内のディスクラバー３１Ｃで位置決めされるため、センターハブ３１Ａとディスクの隙間確保も精度よく行うことができる。
【００１８】
なお、排出レバー１００は、リンクアーム１０５と排出スライダー１０６を介してメインスライダー４０の動きと連動する。ここでリンクアーム１０５は、リアベース１３に回動自在に設けられ、その一端側はピン１０５Ｂを介してメインスライダー４０と連接し、その他端側をピン１０５Ｃによって排出スライダー１０６と連接している。排出レバー１００はカムピンによって排出スライダー１０６のカム溝と係合している。
また、排出レバー１００と同じ側のベース本体１０の側部には、ガイドレバー１８０が設けられている。ガイドレバー１８０は、リア面側を回動支点１８１とし、可動側にガイド１８２を備えている。このガイドレバー１８０は、弾性体１８３によってガイド１８２側がディスク側に突出するように付勢されている。また、このガイドレバー１８０は、リンクアーム１０５と排出スライダー１０６を介してメインスライダー４０と連動し、このメインスライダー４０の動きに応じて、ガイド１８２側がディスクから離間するように動作する。
【００１９】
ベース本体１０のリア面側には規制レバー１１０が設けられている。この規制レバー１１０は、リア面側端部を回動支点１１１とし、可動側端部にガイド１１２を備えている。この規制レバー１１０は、弾性体によってガイド１１２側が常にフロント側に突出するように付勢されている。また、この規制レバー１１０は所定位置でリミットスイッチを動作させる。すなわち、ディスクが所定位置まで挿入されると、リミットスイッチがオフし、ローディングモータ６０を駆動する。このローディングモータ６０の駆動によって、メインスライダー４０が摺動する。
また、ベース本体１０のフロント側には、フロントガイダー２１が設けられている。フロントガイダー２１は、ディスク挿入口１１の一端側であって、引き込みレバー８０とディスク挿入口１１との間に配置されている。またこのフロントガイダー２１は、ローディングモータ６０や歯車機構、メインスライダー４０の一部を覆うように、これらの部材よりも蓋体側に設けられている。
【００２０】
以下にカムレバーの動作について説明する。
ピン７３がメインスライダー４０のカム溝と係合している間は、カムレバー７０は回動しない。この状態はスタンバイ状態である。ディスクがローディングされた後にもしばらくはこの状態であり、トラバースベース３０はベース本体１０に近接した状態にある。
ディスクの中心がスピンドルモータ３１の上方に位置したタイミングで、ピン７３はメインスライダー４０のカム溝から外れ、カムレバー７０は回動を始める。
メインスライダー４０に設けられた、第１のカム機構４１は、メインスライダー４０と同一の方向に移動する。メインスライダー４０は、カムレバー７０のピン７２が摺動する溝を有し、カムレバー７０の回動によって、サブスライダー５０を移動させ、サブスライダー５０を移動させることによって第２のカム機構５１を動作させる。
すなわち、メインスライダー４０の移動によって、第１のカム機構４１は、所定の距離だけ移動し、カムレバー７０の回動によって、及び第２のカム機構５１は、所定距離だけ移動して、トラバースベース３０が変位動作する。
そしてチャッキング動作が終了した段階で、カムレバー７０の回動は終了する。
【００２１】
図４から図６は、ディスクの引き込み動作に伴う排出レバーの動作状態を示す平面図である。
図４は、ディスクを外部からの力によって押し込み、ディスクがガイド１０１に当接した状態を示している。
ディスクが挿入されると、ディスクは、まず第１のディスクガイド１７と第２のディスクガイド８１とで支持される。そしてディスクが所定の位置まで挿入されると、図４に示すように、ディスクはガイド１０１によって支持される。
図５は、図４の状態から更にディスクを押し込んだ状態を示している。
図５に示すように、ディスクの挿入によって排出レバー１００は、回動支点１０２を中心として回動し始める。そして、排出レバー１００がスピンドルモータ３１に近接すると、図示のようにエジェクトレバーガイドローラ１００Ａは、ディスクラバー３１Ｃ面に乗り上がる。そして、エジェクトレバーガイドローラ１００Ａは、ディスクラバー３１Ｃ面で回動することで、ディスクラバー３１Ｃ面を通過する。
図５に示す状態で、ディスクはセンターハブ３１Ａに接近し、その後センターハブ３１Ａ上を通過するが、エジェクトレバーガイドローラ１００Ａとディスクラバー３１Ｃとの接触によって排出レバー１００の高さが設定されているため、ディスクがセンターハブ３１Ａに接触することはない。
図６は、規制レバー１１０にディスクが当接し、モータ６０の駆動がスタートして、ディスクを引き込みレバー８０で引き込んでいる状態を示している。ディスクの挿入を検知し、ローディングモータ６０が駆動することでメインスライダー４０がリア面側に摺動する。
【００２２】
本実施例によれば、トラバースベースカバー３０Ａに対する排出レバー１００の高さ調整を、排出レバー１００とターンテーブル３１との接触によって行うことで、排出レバー１００とターンテーブル３１との接触によって排出レバー１００の高さを設定できるため、ディスクが最も接触しやすいセンターハブ３１Ａとの隙間を正確に確保することができる。
特に本実施例のように、排出レバー１００の可動側端部にエジェクトレバーガイドローラ１００Ａを設け、エジェクトレバーガイドローラ１００Ａとディスクラバー３１C面との接触によって排出レバー１００の高さを設定するため、ディスクとセンターハブ３１Ａとの隙間を正確に確保することができる。
また本実施例によれば、エジェクトレバーガイドローラ１００Ａを、エジェクトガイドシャフト１００Ｃによってエジェクトガイドホルダー１００Ｂに回動自在に設け、エジェクトレバーガイドローラ１００Ａが回動自在であるため、ターンテーブル３１を傷めることが少ない。
更に本実施例のように、エジェクトレバーガイドローラ１００Ａをディスクラバー３１Ｃ面で摺動させることで、ディスクラバー３１C面を傷めることが少ない。
【産業上の利用可能性】
【００２３】
本発明は、ＣＤ、ＤＶＤ等のディスク状記録媒体の記録または再生を行うディスク装置において、特に家庭用映像機器やコンピュータの周辺装置として用いられる薄型化の必要なディスク装置に利用できる。 
【図面の簡単な説明】
【００２４】
【図１】本発明の一実施例によるディスク装置のベース本体の平面図
【図２】同ディスク装置の要部断面図
【図３】同装置における排出レバーの分解平面図
【図４】同ディスク装置のディスクの引き込み動作に伴う排出レバーの動作状態を示す平面図
【図５】同ディスク装置のディスクの引き込み動作に伴う排出レバーの動作状態を示す平面図
【図６】同ディスク装置のディスクの引き込み動作に伴う排出レバーの動作状態を示す平面図
【符号の説明】
【００２５】
１０    ベース本体
１１    ディスク挿入口
３０Ａ  トラバースベースカバー
３１    スピンドルモータ
３１Ａ  センターハブ
３１Ｂ  ターンテーブル
３１Ｃ  ディスクラバー
１００    排出レバー
１００Ａ  エジェクトレバーガイドローラ
【図１】
2007184018.tif 000003
【図２】
2007184018.tif 000004
【図３】
2007184018.tif 000005
【図４】
2007184018.tif 000006
【図５】
2007184018.tif 000007
【図６】
2007184018.tif 000008